(57)【要約】【課題】車両の運転を阻害することなく選局操作を行うことができるチューナ選局装置を提供すること。【解決手段】タッチパネル１５へのタッチ操作を検出するタッチ操作検出部１１ａと、同調可能な周波数帯域を画像表示装置１４に表示させる第一表示処理部１１ｂと、周波数帯域の表示領域にタッチ操作を検出するとタッチ操作を検出した位置に対応する周波数から所定範囲内の周波数を候補周波数として選択する一次選局部１１ｃと、この候補周波数を画像表示装置１４に表示する第二表示処理部１１ｄと、候補周波数の表示領域にタッチ操作を検出するとタッチ操作を検出した位置に基づいて受信させる周波数を決定する二次選局処理部１１ｅと、を備える。【選択図】図１
2015115635.tif 000002
【特許請求の範囲】
【請求項１】
画像を表示する表示部と、前記表示部に重ねて設けられ接触された接触物の接触状態を検出するタッチパネルと、を備え、前記タッチパネルへの接触状態に応じてチューナの選局処理を行うチューナ選局装置であって、
前記タッチパネルへの接触物の接触だけで前記接触物の移動を伴わないタッチ操作を検出するタッチ操作検出部と、
同調可能な周波数帯域を前記表示部に表示させる第一表示処理部と、
前記同調可能な周波数帯域の表示領域に前記タッチ操作が検出されたときに、前記タッチ操作が検出された位置に対応するタッチ位置周波数を算出し、前記タッチ位置周波数から予め設定された範囲内の周波数を選局の候補周波数として選択する一次選局処理部と、
前記一次選局処理部によって選択された候補周波数を前記表示部に表示させる第二表示処理部と、
前記候補周波数の表示領域に前記タッチ操作が検出されたときに、前記タッチ操作が検出された位置に基づいて、前記候補周波数から受信させる周波数を決定する二次選局処理部と、
を備えることを特徴とするチューナ選局装置。
【請求項２】
ユーザに指定された任意の周波数を記憶するプリセット記憶部を備え、
前記一次選局処理部は、前記タッチ位置周波数から予め設定された範囲内に存在する前記プリセット記憶部に記憶された周波数を前記候補周波数として選択することを特徴とする請求項１に記載のチューナ選局装置。
【請求項３】
受信可能な周波数を記憶する受信可能周波数記憶部を備え、
前記一次選局処理部は、前記タッチ位置周波数から予め設定された範囲内に存在する前記受信可能周波数記憶部に記憶された周波数を前記候補周波数として選択することを特徴とする請求項１に記載のチューナ選局装置。
【請求項４】
前記一次選局処理部は、複数の前記候補周波数が選択された場合、前記タッチ位置周波数との差が最も小さい前記候補周波数を受信させる周波数とすることを特徴とする請求項２または３に記載のチューナ選局装置。
【請求項５】
ユーザに指定された任意の周波数を記憶するプリセット記憶部と、
受信可能な周波数を記憶する受信可能周波数記憶部と、を備え、
前記一次選局処理部は、前記タッチ位置周波数から予め設定された範囲内に存在する前記プリセット記憶部に記憶された周波数を前記候補周波数として選択し、
前記タッチ位置周波数から予め設定された範囲内に前記プリセット記憶部に記憶された周波数が存在しない場合には、前記タッチ位置周波数から予め設定された範囲内に存在する前記受信可能周波数記憶部に記憶された周波数を前記候補周波数として選択することを特徴とする請求項１に記載のチューナ選局装置。
【請求項６】
前記第二表示処理部は、受信する周波数の変更を指示するための第一操作領域および第二操作領域を前記表示部に表示させ、
前記二次選局処理部は、前記第一操作領域に前記タッチ操作が検出されたときは、受信する周波数を前記候補周波数の周波数の小さいほうへ順次変更し、前記第二操作領域に前記タッチ操作が検出されたときは、受信する周波数を前記候補周波数の周波数の大きいほうへ順次変更することを特徴とする請求項１に記載のチューナ選局装置。
【請求項７】
前記第二表示処理部は、前記候補周波数を前記表示部にポップアップ表示させることを特徴とする請求項１から６のいずれか１項に記載のチューナ選局装置。
【請求項８】
前記第一表示処理部は、前記同調可能な周波数帯域に重ねて、前記プリセット記憶部に記憶された周波数の位置にマーカを表示させることを特徴とする請求項２に記載のチューナ選局装置。
【発明の詳細な説明】
【技術分野】
【０００１】
本発明は、ユーザの操作により選択された放送局をチューナに受信させるチューナ選局装置に関し、特に、タッチパネルを備えたチューナ選局装置に関する。
【背景技術】
【０００２】
従来、車両にラジオ受信機などのチューナを搭載することが行われている。近年では、ナビゲーションシステムの普及に伴い、ナビゲーションシステムにチューナが内蔵され、選局などを行うための入力デバイスとしてタッチパネルを利用するものが増えている。
特許文献１には、タッチパネルを用いて選局するリモコン装置が記載されている。このリモコン装置は、選局の範囲を示す棒状のスライダと、このスライダ上を移動可能なカーソルを、タッチパネルと一体となった表示部に表示し、ユーザが指でカーソルにタッチしたまま左右いずれかの方向にスライド操作することで、指のタッチ位置に対応する番組情報を表示部に表示する。そして、カーソルからユーザの指が離れると、リモコン装置は、ユーザの指が離れた時の座標位置に対応する番組の放送局を選局する。
【先行技術文献】
【特許文献】
【０００３】
【特許文献１】特開２００９−１４１６０２号公報
【発明の概要】
【発明が解決しようとする課題】
【０００４】
しかしながら、このような選局方法では、ユーザは、操作完了までリモコン装置の表示部を視認しながら操作する必要があり、車載装置としては望ましいものではない。車両の運転者は、前方視を主とし、間欠的に他の場所を視認しながら運転する。つまり、選局操作は、主操作である車両運転を阻害しないように、短時間に視認および操作が可能であることが望ましい。このためには、ユーザの操作とこの操作に対する装置の反応とが交互に繰り返されることが望ましい。
【０００５】
そこで、本発明は、車両の運転を阻害することなく選局操作を行うことができるチューナ選局装置を提供することを目的としている。
【課題を解決するための手段】
【０００６】
本発明の第１の態様は、画像を表示する表示部と、この表示部に重ねて設けられ接触された接触物の接触状態を検出するタッチパネルと、を備え、このタッチパネルへの接触状態に応じてチューナの選局処理を行うチューナ選局装置であって、タッチパネルへの接触物の接触だけで接触物の移動を伴わないタッチ操作を検出するタッチ操作検出部と、同調可能な周波数帯域を表示部に表示させる第一表示処理部と、同調可能な周波数帯域の表示領域にタッチ操作が検出されたときに、タッチ操作が検出された位置に対応するタッチ位置周波数を算出し、このタッチ位置周波数から予め設定された範囲内の周波数を選局の候補周波数として選択する一次選局処理部と、一次選局処理部によって選択された候補周波数を表示部に表示させる第二表示処理部と、候補周波数の表示領域にタッチ操作が検出されたときに、タッチ操作が検出された位置に基づいて、候補周波数から受信させる周波数を決定する二次選局処理部と、を備えることを特徴とするものである。
【０００７】
本発明の第２の態様としては、ユーザに指定された任意の周波数を記憶するプリセット記憶部を備え、一次選局処理部は、タッチ位置周波数から予め設定された範囲内に存在するプリセット記憶部に記憶された周波数を候補周波数として選択するのが好ましい。
本発明の第３の態様としては、受信可能な周波数を記憶する受信可能周波数記憶部を備え、一次選局処理部は、タッチ位置周波数から予め設定された範囲内に存在する受信可能周波数記憶部に記憶された周波数を候補周波数として選択するのが好ましい。
【０００８】
本発明の第４の態様としては、一次選局処理部は、複数の候補周波数が選択された場合、タッチ位置周波数との差が最も小さい候補周波数を受信させる周波数とするのが好ましい。
本発明の第５の態様としては、ユーザに指定された任意の周波数を記憶するプリセット記憶部と、受信可能な周波数を記憶する受信可能周波数記憶部と、を備え、一次選局処理部は、タッチ位置周波数から予め設定された範囲内に存在するプリセット記憶部に記憶された周波数を前記候補周波数として選択し、タッチ位置周波数から予め設定された範囲内にプリセット記憶部に記憶された周波数が存在しない場合には、タッチ位置周波数から予め設定された範囲内に存在する受信可能周波数記憶部に記憶された周波数を候補周波数として選択するのが好ましい。
【０００９】
本発明の第６の態様としては、第二表示処理部は、受信する周波数の変更を指示するための第一操作領域および第二操作領域を表示部に表示させ、二次選局処理部は、第一操作領域にタッチ操作が検出されたときは、受信する周波数を候補周波数の周波数の小さいほうへ順次変更し、第二操作領域にタッチ操作が検出されたときは、受信する周波数を候補周波数の周波数の大きいほうへ順次変更するのが好ましい。
【００１０】
本発明の第７の態様としては、第二表示処理部は、候補周波数を表示部にポップアップ表示させるのが好ましい。
本発明の第８の態様としては、第一表示処理部は、同調可能な周波数帯域に重ねて、プリセット記憶部に記憶された周波数の位置にマーカを表示させるのが好ましい。
【発明の効果】
【００１１】
このように、上記の第１の態様によれば、表示部に表示された周波数帯域の選局したい位置をタッチ操作する一次選局操作によりタッチ位置周辺の周波数を候補周波数として表示し、この候補周波数から選局したい周波数をタッチ操作する二次選局操作により受信させる周波数を決定しているため、目的の周波数を段階的に絞り込ませることができ、素早く簡単なタッチ操作の繰り返しで正確に目的の周波数を選択させることができる。このため、車両の運転を阻害することなく選局操作を行わせることができる。
【００１２】
上記の第２の態様によれば、一次選局操作のタッチ位置周辺に存在するプリセット周波数を候補周波数としているため、予め設定されたプリセット周波数を容易に選択させることができ、操作に対するユーザの負荷を軽減させることができる。
上記の第３の態様によれば、一次選局操作のタッチ位置周辺に存在する受信可能な周波数を候補周波数としているため、受信可能な周波数を容易に選択させることができ、操作に対するユーザの負荷を軽減させることができる。
【００１３】
上記の第４の態様によれば、一次選局操作のタッチ位置に最も近い候補周波数の周波数を受信させるため、一次選局操作で何らかの放送を受信している状態となり、一次選局操作で選局された周波数とユーザが選局したい周波数が異なっていた場合でも、修正までに時間をかけることを許容しやすくし、一旦運転に集中した後、二次選局を行う「操作の分割」が可能となる。
【００１４】
上記の第５の態様によれば、一次選局操作のタッチ位置周辺にプリセット周波数が存在しない場合、タッチ位置周辺の受信可能な周波数を候補周波数としているため、プリセット周波数が無い場所をタッチ操作すると受信可能な周波数が候補周波数とされ、ユーザの意図を反映した選局動作を行うことができる。
上記の第６の態様によれば、一次選局操作のタッチ位置の周波数を変更するための操作領域を設けているため、一次選局によりおおまかに周波数を選択させ、二次選局で細かく周波数を変更させることができ、操作回数を削減しつつ正確に目的の周波数を選択させることができる。
【００１５】
上記の第７の態様によれば、一次選局操作による候補周波数をポップアップ表示させるため、二次選局の選択内容をユーザに分かりやすくフィードバックすることができる。
上記の第８の態様によれば、同調可能な周波数帯域に重ねてプリセット周波数の位置にマーカを表示させているため、プリセット周波数の一覧性を確保し、正確に目的の周波数を選択させることができる。
【図面の簡単な説明】
【００１６】
【図１】図１は、本発明の一実施形態に係るチューナ選局装置を示す図であり、その概念ブロック図である。
【図２】図２は、その画面構成を示す表示画面の図である。
【図３】図３は、そのタッチ帯域幅を示す表示画面の図である。
【図４】図４は、そのプリセットチャンネルの二次選局インタフェイスを示す表示画面の図である。
【図５】図５は、その受信可能な放送局の二次選局インタフェイスを示す表示画面の図である。
【図６】図６は、その周波数を手動変更する二次選局インタフェイスを示す表示画面の図である。
【図７】図７は、その処理手順を説明するフローチャートである。
【発明を実施するための形態】
【００１７】
以下、図面を参照して、本発明の実施形態について詳細に説明する。図１〜図７は本発明の一実施形態に係るチューナ選局装置１０を示す図である。
図１において、チューナ選局装置１０は、車両１に搭載され、ユーザが選択したラジオ放送の放送局をチューナ２０に受信させるものである。
このチューナ選局装置１０は、タッチパネル１５と、画像表示装置１４と、画像生成表示装置１３と、入力装置１６と、記憶装置１２と、制御装置１１と、を備えて構成され、例えば、車載のナビゲーションシステムに搭載されて、画像表示装置１４に表示する画像に対するユーザのタッチパネル１５の操作により放送局を選択させる選局制御を実行する。
【００１８】
画像表示装置１４は、画像を表示出力する液晶パネルなどにより構成されて、画像生成表示装置１３が生成する画像を表示するようになっている。すなわち、画像表示装置１４は表示部を構成する。
画像生成表示装置１３は、画像表示装置１４に表示する画像を生成して表示させるものであり、制御装置１１の指示により画像の生成と表示を行うようになっている。この制御装置１１からの指示としては、例えば、表示位置の情報として画像表示装置１４の表示画面上の位置情報と、表示物の情報としてテキストや画像ファイルの情報が与えられる。画像生成表示装置１３は、指示された位置に指示された表示物を表示した画像を生成して、画像表示装置１４に表示させる。
【００１９】
タッチパネル１５は、画像表示装置１４の表示画面に重ねて設けられる透明な薄板形状の接触座標検出パネルである。このタッチパネル１５は、表面に指等の接触物が接触すると、接触した位置の情報として、例えば、画像表示装置１４の表示画面の水平方向をＸ軸方向、垂直方向をＹ軸方向として、Ｘ軸上の位置を示すＸ軸位置信号およびＹ軸上の位置を示すＹ軸位置信号を出力するようになっている。なお、このタッチパネル１５は、接触物が接触している間はＸ軸位置信号およびＹ軸位置信号を出力し続けるようになっており、継続して出力される信号の時間やその間の接触物の移動の有無などにより、接触物による操作の種類（タッチ、スライドなど）を識別可能になっている。
【００２０】
ここで、接触物による操作の「タッチ」とは、タッチパネルの表面を接触物で軽く叩く（接触物による接触時間が短い）操作であり、「スライド」とは、タッチパネル１５の表面に接触物を接触させたまま移動させる操作である。
入力装置１６は、タッチパネル１５の出力するＸ軸位置信号およびＹ軸位置信号を、例えば、画像表示装置１４の表示画面の左上を原点とした表示画面の画素単位の座標情報のような位置情報に変換して制御装置１１に出力する。
【００２１】
制御装置１１は、入力装置１６の情報に基づいて、接触物による操作の種類とその位置や接触物の移動軌跡を識別する。すなわち、制御装置１１はタッチ操作検出部１１ａを構成する。
記憶装置１２は、予め設定された放送局（プリセットチャンネル）の周波数などの情報や、地域毎に受信可能な放送局の周波数などの情報や、チューナ２０により電波強度が予め設定された値以上の放送局を走査した結果の周波数の情報や、画像表示装置１４に表示する画像などを記憶しておく。
【００２２】
このプリセットチャンネルは、ユーザが手動で設定した放送局が設定されている。すなわち、記憶装置１２は、プリセット記憶部、受信可能周波数記憶部を構成する。
制御装置１１は、ＣＰＵ（Central Processing Unit）やメモリなどを備え、予めメモリ内に格納されている各種制御プログラムに従って記憶装置１２に記憶しているプリセットチャネルや受信可能な放送局の情報を画像表示装置１４に表示し、タッチパネル１５の操作によりユーザが選択した放送局の周波数を受信するようにチューナ２０に選局指示を送信するようになっている。
【００２３】
チューナ２０は、ラジオのＡＭ（Amplitude Modulation）／ＦＭ（Frequency Modulation）放送を受信可能に構成され、制御装置１１からの指示により指定の周波数を受信したり、受信可能な周波数を走査して結果の情報を返信したりする。
このチューナ選局装置１０は、タッチパネル１５へのタッチ操作の繰り返しにより目的の放送局を選択できるようになっている。
【００２４】
制御装置１１は、例えば、ナビゲーションシステムにおいて、ラジオ機能が選択されると、記憶装置１２に記憶しているプリセットチャンネルの情報や、受信可能な放送局の情報を読み出す。制御装置１１は、受信可能な放送局の情報として、ナビゲーションシステムから自車両の位置情報を取得し、その位置情報の地域で受信可能な放送局の情報を使用してもよいし、チューナにより走査した周波数の情報を使用してもよい。
制御装置１１は、読み出した情報に基づいて、同調可能な周波数帯域や、プリセットチャンネルの登録内容や、現在受信中の放送局の情報などを表示するように画像生成表示装置１３に指示する。画像生成表示装置１３は、例えば、図２に示すような画像を生成し、画像表示装置１４に表示出力する。
【００２５】
図２において、領域ａ１はチューナで同調可能な周波数帯域を表示する領域で、制御装置１１は、等間隔の目盛線と目安となる周波数を目盛線上に表示し、現在受信中の放送局の周波数には目印の縦線Ｌを表示する。タッチパネル１５で検出されるこの領域の位置は、その位置に表示されている周波数に対応付けられるようになっており、例えば、タッチパネル１５で検出されるＸ軸位置およびＹ軸位置に対応する周波数が設定されたマップにより求められるようになっている。この周波数帯域の表示は、画像表示装置１４の表示画面の長辺と平行な方向に帯状に表示するとよく、一般的な横長な表示画面の場合は、長辺である横方向に帯状に表示するのがよい。
【００２６】
領域ａ２はプリセットチャネルの周波数帯域上の位置を表示する領域で、制御装置１１は、領域ａ１の周波数帯域を示す領域の真上にプリセットチャンネルを識別する番号を表示し、プリセットチャンネルと周波数の対応をつけやすくしている。
領域ａ３はプリセットチャンネルの登録内容を表示する領域で、制御装置１１は、プリセットチャンネルを識別する番号や、放送局名などの情報が登録されている場合はその情報などを表示する。
【００２７】
領域ａ４は受信中の放送局を表示する領域で、制御装置１１は、受信中の周波数や、プリセットチャンネルに登録されている放送局であればその識別番号や、放送局名などの情報が登録されている場合はその情報などを表示する。
領域ａ５は放送バンドを表示する領域で、制御装置１１は、受信可能な放送バンドをボタンで表示し、受信中の放送バンドは枠を表示するなどして認識可能にている。制御装置１１は、放送バンドのボタンがタッチ操作されると、その放送バンドの受信モードに切り替えるようになっている。
【００２８】
すなわち、プリセットチャンネルの情報や受信可能な放送局の情報や受信中の放送局の情報は、放送バンド毎に記憶装置に記憶されている。制御装置１１は、放送バンドのボタンにより受信する放送バンドが選択されると、選択された放送バンドのプリセットチャンネルの情報や前回選択されたときに受信中だった放送局の情報を読み出し、前回受信中だった放送局の周波数を受信するようにチューナ２０に選局指示を送信するとともに、選択された放送バンドのプリセットチャンネルの情報や受信中の放送局の情報を表示するように画像表示装置１４の表示を切り替える。
【００２９】
領域ａ６は操作用ボタンを表示する領域で、制御装置１１は、手動チューニングのボタンや受信可能な周波数を走査する（シーク）ことを指示するボタンなどを表示する。図２では、手動チューニング兼シーク指示のボタンＢｄ、Ｂｕが表示されている。このボタンがタッチ操作されると、制御装置１１は、受信周波数を予め設定された値分、ボタンＢｕでは増やし、ボタンＢｄでは減らす。また、このボタンが押されたまま予め設定した時間が経過すると、制御装置１１は、ボタンＢｕでは周波数の大きいほうに、ボタンＢｄでは周波数の小さいほうに、受信可能な周波数をチューナ２０により走査させ、受信可能な周波数を検出するとチューナ２０にその周波数を受信する状態にさせて走査処理を終了するようになっている。
【００３０】
なお、受信可能な放送局については特に表示していないが、プリセットチャンネルの位置の表示よりも目立たない形で周波数帯域の目盛線の中に、例えば、目盛線の色や太さを変えるなどして表示してもよい。その場合、隣接する周波数はまとめて一つとして表示数を減らすなど、他の表示の見易さを阻害しないようにするとよい。
このような状態から、領域ａ１の周波数帯域が表示された領域が接触物でタッチ操作されると、制御装置１１は、タッチ操作を検出した位置に対応する周波数（タッチ位置周波数）をマップ等により求め、タッチ位置の周波数を中心に予め設定されたタッチ帯域幅にプリセットチャンネルが一つだけ存在すれば、その放送局の周波数を受信するようにチューナ２０に選局指示を送信する。
【００３１】
ここで、タッチ帯域幅は、ユーザがタッチ操作したときに目標とした周波数と、実際にタッチパネルで検出した位置からの周波数との間に発生しうる誤差の範囲であり、例えば、図３に示すように、画像表示装置１４の表示画面上での人差し指一本分の周波数帯域幅が設定され、制御装置１１のメモリに記憶されている。
タッチ帯域幅にプリセットチャンネルが複数存在した場合、制御装置１１は、タッチ操作を検出した位置に対応する周波数に最も近い周波数の放送局を受信するようにチューナ２０に選局指示を送信するとともに、タッチ帯域幅に存在するプリセットチャンネルの一覧を二次選局インタフェイスとしてタッチ操作を検出した位置近傍にポップアップ表示する。
【００３２】
このプリセットチャンネルの一覧表示では、制御装置１１は、例えば、図４に示すように、プリセットチャンネルの識別番号、放送局名などが登録されていればその情報を縦方向に一覧とし、回りを枠で囲み、他の表示の上に重ねて表示する。
制御装置１１は、プリセットチャンネルの一覧のそれぞれの放送局を表示している領域を記憶しており、そのうちのいずれかにタッチ操作が行われた場合、対応する放送局の周波数を受信するようにチューナ２０に選局指示を送信する。
【００３３】
プリセットチャンネルの一覧を表示している領域に予め設定された時間タッチ操作が行われない場合、制御装置１１は、プリセットチャンネルの一覧の表示を止める。
タッチ帯域幅にプリセットチャンネルが存在しなかった場合、制御装置１１は、タッチ帯域幅に受信可能な放送局が一つだけ存在すれば、その放送局の周波数を受信するようにチューナ２０に選局指示を送信する。
【００３４】
タッチ帯域幅に受信可能な放送局が複数存在した場合、制御装置１１は、タッチ操作を検出した位置に対応する周波数に最も近い周波数の放送局を受信するようにチューナ２０に選局指示を送信するとともに、タッチ帯域幅に存在する受信可能な放送局の一覧を二次選局インタフェイスとしてタッチ操作を検出した位置近傍にポップアップ表示する。
この受信可能な放送局の一覧表示では、制御装置１１は、例えば、図５に示すように、受信可能な放送局の周波数、放送局名などの情報が登録されていればその情報を縦方向に一覧とし、回りを枠で囲み、他の表示の上に重ねて表示する。
【００３５】
制御装置１１は、受信可能な放送局の一覧のそれぞれの放送局を表示している領域を記憶しており、そのうちのいずれかにタッチ操作が行われた場合、対応する放送局の周波数を受信するようにチューナ２０に選局指示を送信する。
受信可能な放送局の一覧を表示している領域に予め設定された時間タッチ操作が行われない場合、制御装置１１は、受信可能な放送局の一覧の表示を止める。
【００３６】
タッチ帯域幅に受信可能な放送局も存在しなかった場合、制御装置１１は、タッチ操作を検出した位置に対応する周波数を受信するようにチューナ２０に選局指示を送信する。
そして、制御装置１１は、ユーザが周波数を手動変更するインタフェイスを二次選局インタフェイスとしてタッチ操作を検出した位置近傍にポップアップ表示する。
【００３７】
この周波数を手動変更するインタフェイスでは、制御装置１１は、例えば、図６に示すように、タッチ操作を検出した位置に対応した周波数を中心に前後の周波数を縦方向に一覧とし、その左右に周波数変更用のボタンＢｌ、Ｂｒを配置し、回りを枠で囲み、他の表示の上に重ねて表示する。なお、周波数変更用のボタンは、左側のボタンＢｌが周波数を小さくするボタンで、右側のボタンＢｒが周波数を大きくするボタンになっている。すなわち、左側のボタンＢｌは第一操作領域を構成し、右側のボタンＢｒは第二操作領域を構成する。
【００３８】
制御装置１１は、周波数変更用のボタンＢｌ、Ｂｒの位置を記憶しており、そのうちのいずれかにタッチ操作が行われた場合、対応するボタンに割り当てられた周波数の変更を行い、その周波数を受信するようにチューナ２０に選局指示を送信する。
すなわち、制御装置１１は、第一表示処理部１１ｂ、一次選局処理部１１ｃ、第二表示処理部１１ｄ、二次選局処理部１１ｅを構成する。
【００３９】
なお、プリセットチャンネルの場合と受信可能な放送局の場合でタッチ帯域幅は同一としたが、それぞれ異なる帯域幅で放送局の有無を確認してもよい。
また、二次選局のポップアップ表示では、現在選局されている放送局については、再度選択する必要が無いので小さく表示し、現在選局されている放送局に近い周波数の放送局ほど大きく表示し、選択のためのタッチ操作をしやすくさせてもよい。
【００４０】
また、最初のタッチ操作で、タッチ帯域幅に放送局が一つしか存在しなかった場合でも、その放送局の情報を一定時間ポップアップ表示させてもよい。
以上のように構成された本発明の実施形態に係るチューナ選局装置１０による選局制御動作について図７を参照して説明する。なお、以下に説明する選局制御動作は、周波数帯域が表示された領域ａ１が接触物でタッチ操作されると実行される。
【００４１】
まず、制御装置１１は、タッチ操作が検出された位置に対応した周波数を中心にタッチ帯域幅内の周波数にプリセットチャンネルが存在するか否かを判定する（ステップＳ１１）。
タッチ帯域幅にプリセットチャンネルが存在すると判定した場合、制御装置１１は、タッチされた位置に対応する周波数に最も近い周波数のプリセットチャンネルを受信するようにチューナ２０に選局指示を送信する（ステップＳ１２）。
【００４２】
次いで、制御装置１１は、タッチ帯域幅内に存在するプリセットチャンネルの数が一つであるか否かを判定する（ステップＳ１３）。
タッチ帯域幅内に存在するプリセットチャンネルの数が一つであると判定した場合、制御装置１１は、処理を終了する。
【００４３】
タッチ帯域幅内に存在するプリセットチャンネルの数が複数あると判定した場合、制御装置１１は、そのプリセットチャンネルの一覧を表示させ、その一覧からプリセットチャンネルをタッチ操作で選択させる二次選局を行わせ、選局されたプリセットチャンネルの周波数を受信するようにチューナ２０に選局指示を送信する（ステップＳ１４）。
ステップＳ１１において、タッチ帯域幅にプリセットチャンネルが存在しないと判定した場合、制御装置１１は、タッチ帯域幅に受信可能な放送局が存在するか否かを判定する（ステップＳ１５）。
【００４４】
タッチ帯域幅に受信可能な放送局が存在すると判定した場合、制御装置１１は、タッチされた位置に対応する周波数に最も近い周波数の放送局を受信するようにチューナ２０に選局指示を送信する（ステップＳ１６）。
次いで、制御装置１１は、タッチ帯域幅内に存在する受信可能な放送局の数が一つであるか否かを判定する（ステップＳ１７）。
【００４５】
タッチ帯域幅内に存在する受信可能な放送局の数が一つであると判定した場合、制御装置１１は、処理を終了する。
タッチ帯域幅内に存在する受信可能な放送局の数が複数あると判定した場合、制御装置１１は、その放送局の一覧を表示させ、その一覧から放送局をタッチ操作で選択させる二次選局を行わせ、選局された放送局の周波数を受信するようにチューナ２０に選局指示を送信する（ステップＳ１８）。
【００４６】
ステップＳ１５において、タッチ帯域幅に受信可能な放送局が存在しないと判定した場合、制御装置１１は、タッチされた位置に対応する周波数を受信するようにチューナ２０に選局指示を送信する（ステップＳ１９）。
次いで、制御装置１１は、周波数を手動変更するインタフェイスを表示し、周波数を手動で変更させる二次選局を行わせ、変更された周波数を受信するようにチューナ２０に選局指示を送信する（ステップＳ２０）。
【００４７】
したがって、周波数帯域が表示された領域ａ１が接触物でタッチ操作されると、タッチされた位置に対応する周波数に最も近いプリセットチャンネルや受信可能な放送局を選択して受信させる一次選局を行い、タッチされた位置から予め設定された範囲内に複数のプリセットチャンネルや受信可能な放送局が存在するときは、その一覧を表示してタッチ操作で選局させる二次選局処理を行っているため、タッチ操作の繰り返しで放送局を選局することができ、車両の運転を阻害することなく選局操作を行うことができる。
【００４８】
また、タッチされた位置に対応する周波数の予め設定された範囲内に複数のプリセットチャンネルや受信可能な放送局が存在するときは、その一覧を表示しているため、選局のためのユーザの負担を軽減させることができる。
また、タッチされた位置に対応する周波数に最も近いプリセットチャンネルや受信可能な放送局を選択して受信させているため、二次選局を行うまでの間何らかの放送を受信している状態となり、二次選局までに時間をかけることを許容しやすくすることができる。
【００４９】
また、タッチされた位置に対応する周波数の周辺にプリセットチャンネルが無い場合は、受信可能な放送局が存在するかを見ているため、プリセットチャンネルが無い場所をタッチ操作すると受信可能な放送局がポップアップされ、ユーザの意図を反映した選局動作を行うことができる。
また、タッチされた位置に対応する周波数の周辺にプリセットチャンネルも受信可能な放送局も無い場合は、タッチされた位置に対応する周波数の周辺の周波数と、周波数を変更するボタンを表示しているため、一次選局でおおまかな周波数を選択し、二次選局で周波数を細かく変更させることができる。
【００５０】
また、タッチされた位置に対応する周波数に最も近いプリセットチャンネルや受信可能な放送局をポップアップ表示しているため、一次選局の結果をユーザに分かりやすくフィードバックすることができる。
本発明の実施形態を開示したが、当業者によっては本発明の範囲を逸脱することなく変更が加えられうることは明白である。すべてのこのような修正及び等価物が次の請求項に含まれることが意図されている。
【符号の説明】
【００５１】
１     車両
１０   チューナ選局装置
１１   制御装置
１１ａ タッチ操作検出部
１１ｂ 第一表示処理部
１１ｃ 一次選局処理部
１１ｄ 第二表示処理部
１１ｅ 二次選局処理部
１２   記憶装置
１３   画像生成表示装置
１４   画像表示装置
１５   タッチパネル
１６   入力装置
２０   チューナ
【図１】
2015115635.tif 000003
【図２】
2015115635.tif 000004
【図３】
2015115635.tif 000005
【図４】
2015115635.tif 000006
【図５】
2015115635.tif 000007
【図６】
2015115635.tif 000008
【図７】
2015115635.tif 000009